(57)【要約】      （修正有）【課題】提供対象外となっているデータがサービス事業者により収集されないようにして、ユーザデータの秘匿性の向上を図る。【解決手段】サービス事業者とユーザとの間で契約により予め定めた提供対象となるデータの種別を表すリストを提供データ種別記憶部１４に記憶しておく。そして、機器及びセンサから取得した生データをサービス事業者のサービス端末へ送信する際に、提供データ種別リストに基づいて生データの中から提供対象となる種別に該当するデータを抽出し、抽出されたデータ以外のデータを不可視化処理する。そして、この不可視化処理後のデータをサービス端末へ送信する。【選択図】図２
2016004324.tif 000002
【特許請求の範囲】
【請求項１】
ユーザ側システムが備える機器又はセンサから出力されたデータをサービス事業者が運用する情報処理装置へネットワークを介して伝送し、サービス事業者が前記伝送されたデータをもとに前記ユーザの状況を管理するシステムの、前記ユーザ側システムに設けられる情報提供管理装置であって、
前記サービス事業者とユーザとの間で収集対象として事前に定められたデータの種別を表す種別情報を記憶する記憶手段と、
前記機器又はセンサから出力されるデータを取得する取得手段と、
前記取得されたデータの種別を前記記憶された種別情報と照合し、当該種別情報に対応する種別のデータを収集対象データとして抽出する抽出手段と、
前記抽出された収集対象データを前記通信ネットワークを介して前記情報処理装置へ送信する送信手段と
を具備することを特徴とする情報提供管理装置。
【請求項２】
前記抽出手段は、前記取得されたデータの種別を前記記憶された種別情報と照合し、当該種別情報に収集対象として定義された種別以外のデータを空白化処理、マスク化処理及び伏字化処理のいずれかを用いて不可視化し、当該不可視化処理後のデータを前記送信手段へ出力することを特徴とする請求項１記載の情報提供管理装置。
【請求項３】
前記抽出手段は、前記サービス事業者の情報処理装置からデータ収集要求を受信し、当該受信されたデータ収集要求に含まれるサービス事業者の識別情報をもとに、前記記憶された種別情報の中から当該サービス事業者に対応する種別情報を選択し、この選択された種別情報に基づいて対応する種別のデータを収集対象データとして抽出することを特徴とする請求項１又は２記載の情報提供管理装置。
【請求項４】
前記ユーザの操作による、前記種別情報に対する変更情報の入力を受け付ける手段と、
前記記憶された種別情報を、前記入力された変更情報に基づいて一時的に変更する手段と
を、さらに具備することを特徴とする請求項１乃至３のいずれかに記載の情報提供管理装置。
【請求項５】
ユーザ側システムが備える機器又はセンサから出力されたデータをサービス事業者が運用する情報処理装置へネットワークを介して伝送し、サービス事業者が前記伝送されたデータをもとに前記ユーザの状況を管理するシステムの、前記ユーザ側システムに設けられる情報提供管理装置が実行する情報提供管理方法であって、
前記サービス事業者とユーザとの間で収集対象として事前に定められたデータの種別を表す種別情報を記憶手段に格納する過程と、
前記機器又はセンサから出力されるデータを取得する過程と、
前記取得されたデータの種別を前記記憶された種別情報と照合し、当該種別情報に対応する種別のデータを収集対象データとして抽出する過程と、
前記抽出された収集対象データを前記通信ネットワークを介して前記情報処理装置へ送信する過程と
を具備することを特徴とする情報提供管理方法。
【請求項６】
前記抽出する過程は、前記取得されたデータの種別を前記記憶された種別情報と照合し、当該種別情報に収集対象として定義された種別以外のデータを空白化処理、マスク化処理及び伏字化処理のいずれかを用いて不可視化し、当該不可視化処理後のデータを送信させることを特徴とする請求項５記載の情報提供管理方法。
【請求項７】
前記ユーザの操作による、前記種別情報に対する変更情報の入力を受け付ける過程と、
前記記憶された種別情報を、前記入力された変更情報に基づいて一時的に変更する過程と
を、さらに具備することを特徴とする請求項５又は６に記載の情報提供管理方法。
【請求項８】
請求項１乃至４のいずれかに記載の情報提供管理装置が具備する各手段が行う処理を、当該情報提供管理装置が備えるコンピュータに実行させるプログラム。
【発明の詳細な説明】
【技術分野】
【０００１】
この発明は、ユーザ側のシステムが機器又はセンサから取得したユーザの情報をサービス事業者に提供する際に、当該情報の提供を管理するために使用される情報提供管理装置、方法及びプログラムに関する。
【背景技術】
【０００２】
近年、ネットワークを流通する情報を活用した様々なＩＴＣ（Information Communication Technology）サービスが提供されている。ＩＴＣサービスは、一般にサービス事業者とサービス利用者との間で事前に締結されたサービス契約の下で、サービス利用者（ユーザ）が管理するデバイス（機器、センサ等）からログデータやセンシングデータをサービス事業者が取得し、この取得されたデータをもとにサービス事業者がユーザに対する種々のサービスを提供する。
【０００３】
ところで、この種のサービスを実施する上で考慮すべき点の１つとしてサービス利用者が提供するデータの保護があり、このデータの保護を実現するための技術として例えば以下のような技術が提案されている。  
すなわち、ＳＥＴ（Secure Electronic Transaction）を採用した電子決済の分野では、顧客のプライバシー情報の保護を実現しつつ、顧客の購買情報の市場価値を有効に生かすために、顧客と販売店との間で行われる商取引に関わる購買情報を管理するシステムが提案されている。このシステムは、顧客、販売店、クレジット会社及び匿名化組織から構成され、販売店側で商取引に関わる購買情報（顧客個人情報、販売店情報、購買履歴）を取得し、その購買情報を匿名化組織に送信する。匿名化組織では、匿名化組織と顧客との間で事前に結ばれた契約内容に応じた形式の匿名化個人情報を匿名化購買情報として、また匿名化組織と販売店との間で事前に結ばれた契約内容に応じた形式の匿名化販売店情報を匿名化購買情報とすることで、顧客の個人情報や販売店の法人情報を保護するものとなっている（例えば、特許文献１を参照）。
【先行技術文献】
【特許文献】
【０００４】
【特許文献１】特開２００３−２４８７８０号公報
【発明の概要】
【発明が解決しようとする課題】
【０００５】
ところが、上記特許文献１に記載された技術では、サービス事業者、サービス利用者以外の情報管理事業者や匿名化組織によって契約したデータやユーザ情報については保護されるものの、契約により取得対象と定めたデータ以外のデータが、サービス事業者において誤ってあるいは意図せずに取得されてしまう可能性がある。このため、ユーザにとっては、自身が把握していないデータが知らずにユーザ事業者で収集されることになるため、データを安心して提供することができない。
【０００６】
この発明は上記事情に着目してなされたもので、その目的とするところは、提供対象外となっているデータがサービス事業者により収集されないようにして、ユーザデータの秘匿性の向上を図った情報提供管理装置、方法及びプログラムを提供することにある。
【課題を解決するための手段】
【０００７】
上記目的を達成するためにこの発明は、以下の各種態様を備えるようにしたものである。  
第１の態様は、ユーザ側システムに情報提供管理装置を設け、この情報提供管理装置に、サービス事業者とユーザとの間で収集対象として事前に定められたデータの種別を表す種別情報を記憶する記憶手段を設ける。そして情報提供管理装置により、ユーザ側システム内の機器又はセンサから出力されるデータを取得し、この取得されたデータの種別を上記記憶された種別情報と照合して、当該種別情報に対応する種別のデータを収集対象データとして抽出し、この抽出された収集対象データを通信ネットワークを介してサービス事業者の情報処理装置へ送信するようにしたものである。
【０００８】
第２の態様は、収集対象データを抽出する際に、取得されたデータの種別を記憶された種別情報と照合し、当該種別情報により収集対象として定義された種別以外のデータを空白化処理、マスク化処理及び伏字化処理のいずれかを用いて不可視化し、当該不可視化処理後のデータをサービス事業者の情報処理装置へ送信するようにしたものである。
【０００９】
第３の態様は、サービス事業者の情報処理装置からデータ収集要求を受信し、当該受信されたデータ収集要求に含まれるサービス事業者の識別情報をもとに、前記記憶された種別情報の中から当該サービス事業者に対応する種別情報を選択し、この選択された種別情報に基づいて対応する種別のデータを収集対象データとして抽出するようにしたものである。
第４の態様は、ユーザの操作による、種別情報に対する変更情報の入力を受け付け、この入力された変更情報に基づいて種別情報を一時的に変更するようにしたものである。
【発明の効果】
【００１０】
第１の態様によれば、ユーザ側システム内において機器又はセンサから出力されたデータのうち、サービス事業者とユーザとの間で収集対象として事前に定められたデータの種別に該当するデータのみが抽出されてサービス事業者へ送信される。このため、開示対象外のユーザデータがユーザの知らないうちにサービス事業者により収集される不具合を防ぐことができ、これによりユーザデータの秘匿性を高めることができる。
【００１１】
第２の態様によれば、収集対象として定義された種別以外のデータが空白化処理、マスク化処理及び伏字化処理のいずれかを用いて不可視化されたのち、サービス事業者の情報処理装置へ送信される。このため、例えば収集対象として定義された種別以外のデータの削除と、削除に伴う提供対象データの再編集処理を不要にすることができる。
【００１２】
第３の態様によれば、サービス事業者からデータ収集要求が送られた場合に、送信元のサービス事業者に対応する種別情報が選択的に読み出され、提供対象データの抽出処理が行われる。すなわち、複数のサービス事業者のサービスを選択的に利用する場合でも、サービス事業者ごとに異なる種別情報に従い適切に提供データを抽出することができる。
【００１３】
第４の実施態様によれば、ユーザが提供対象データの種別を一時的に変更することができる。このため、例えば１日の中の時間帯や、週、月、季節ごとに、その時々でユーザが提供したくないデータがサービス事業者により収集されないようにすることができる。
【００１４】
すなわちこの発明の１つの観点によれば、提供対象外となっているデータがサービス事業者により収集されないようにして、ユーザデータの秘匿性の向上を図った情報提供管理装置、方法及びプログラムを提供することができる。
【図面の簡単な説明】
【００１５】
【図１】この発明の一実施形態に係る情報管理システムを含むデータ収集システムの概略構成図。
【図２】図１に示した情報管理システムの機能構成を示すブロック図。
【図３】図２に示した情報管理システムの処理手順と処理内容を示すフローチャート。
【発明を実施するための形態】
【００１６】
以下、図面を参照してこの発明に係わる実施形態を説明する。  
［一実施形態］
（構成）
図１は、この発明の一実施形態に係る情報管理システムを含むデータ収集システムの概略構成図である。このデータ収集システムは、サービス事業者（サービス提供者）が運用するサービス端末ＳＶと、ユーザ（サービス利用者）が使用するユーザ側システムＵＡとの間で、通信ネットワークＮＷを介してデータ通信を可能にしたものである。サービス端末ＳＶは、例えばパーソナルコンピュータ又はコンピュータサーバからなる。
【００１７】
通信ネットワークＮＷは、例えばインターネットに代表されるＩＰ網と、このＩＰ網に対しアクセスするための複数のアクセス網とから構成される。アクセス網としては例えば携帯電話網、有線電話網、ＣＡＴＶ（Cable Television）網が用いられる。
【００１８】
ユーザ側システムＵＡは、複数の機器Ｄ１，Ｄ２及びセンサＳＣと、データ収集装置ＤＳと、中継器ＲＰと、ユーザ端末ＴＭとを備える。このうち、機器Ｄ１，Ｄ２は例えばテレビジョン受信機やエアコン等の家電機器からなり、またセンサＳＣは例えばユーザに装着されるバイタルセンサからなる。
【００１９】
データ収集装置ＤＳは、上記機器Ｄ１，Ｄ２及びセンサＳＣとの間で、例えば電灯線又はBluetooth（登録商標）等の小電力データ通信規格を使用した無線ネットワークを介してデータ通信が可能となっている。そしてデータ収集装置ＤＳは、一定の時間間隔で、上記機器Ｄ１，Ｄ２及びセンサＳＣからそれぞれ機器Ｄ１，Ｄ２の動作履歴を表すログデータ及びバイタルデータを収集し蓄積する。バイタルデータには血圧、脈拍、体温等が含まれる。
【００２０】
上記データ収集装置ＤＳ、中継器ＲＰ及びユーザ端末ＴＭは、例えば有線ＬＡＮ（Local Area Network）又は無線ＬＡＮを介して相互に通信が可能となっている。中継器ＲＰは、例えばルータ、ホームゲートウェイ又はオフィスゲートウェイからなり、上記データ収集装置ＤＳとユーザ端末ＴＭとの間のデータ転送を中継すると共に、ユーザ端末ＴＭとサービス端末ＳＶとの間のデータ伝送を中継する。
【００２１】
ユーザ端末ＴＭは、例えばパーソナルコンピュータ、スマートフォン又はタブレット端末からなり、この発明の一実施形態を実現するための情報管理ユニット１を備えている。情報管理ユニット１は、図２に示すように収集データ取得部１１と、提供データ抽出部１２と、ユーザ操作受付部１３と、提供データ種別記憶部１４を備えている。これらのうち収集データ取得部１１、提供データ抽出部１２及びユーザ操作受付部１３は、いずれも図示しないプログラムメモリに格納されたプログラムをＣＰＵ（Central Processing Unit）に実行させることにより実現される。
【００２２】
提供データ種別記憶部１４には、サービス事業者とユーザとの間の契約により収集対象（提供対象）として予め決められた提供データの種別を表すリストが記憶される。なお、ユーザが複数のサービス事業者のサービスを利用する場合には、サービス事業者ごとに決められた提供データ種別リストがサービス事業者の識別情報と関連付けられて記憶される。
【００２３】
収集データ取得部１１は、サービス端末ＳＶからデータ提供要求を受信したとき、及びユーザ操作受付部１３においてユーザ操作による提供データ種別の変更指示を受け付けたときに、上記データ収集装置ＤＳから蓄積されている生データを中継器ＲＰを介して取得する。
【００２４】
提供データ抽出部１２は、サービス端末ＳＶからデータ提供要求を受信したとき、及びユーザ操作受付部１３においてユーザ操作による提供データ種別の変更指示を受け付けたとき、以下の処理を行う。  
(1) 上記収集データ取得部１１から上記取得された生データを取り込むと共に、上記提供データ種別記憶部１４からサービス事業者に対応する提供データ種別リストを読み込む。そして、この読み込まれた提供データ種別リストをもとに、上記取り込んだ生データの中から提供対象として定義されたデータを抽出する処理。  
(2) 上記抽出されたデータ以外のデータ、つまり提供対象外のデータを不可視化する処理。不可視化処理としては、例えば空白化処理、マスク化処理、伏字化処理が用いられる。  
(3) 上記提供対象外のデータに対する不可視化処理が施された上記生データを、中継器ＲＰを介してサービス端末ＳＶへ送信する処理。
【００２５】
ユーザ操作受付部１３は、ユーザ操作画面データを図示しない表示器に表示させ、図示しないキーボード又はタッチパネルにおいてユーザが入力操作を行った場合にその入力データを受け付ける。例えば、提供データ種別リストの変更操作が行われた場合に、その変更指示情報の入力を受け付ける。そして、この入力された変更指示情報に従い、提供データ種別記憶部１４に記憶されている、該当する提供データ種別リストを変更する。
【００２６】
（動作）
次に、以上のように構成された情報管理ユニット１の動作を説明する。図３はその処理手順と処理内容を示すフローチャートである。  
なお、提供データ種別記憶部１４には、サービス事業者との間の契約に基づいて予め作成された提供データ種別のリストが予め記憶されているものとして説明を行う。
【００２７】
（１）サービス事業者からデータ提供要求を受信した場合
待機状態において情報管理ユニット１は、ステップＳ１１においてデータ提供要求の受信を監視すると共に、ステップＳ１６において提供データ種別リストの変更操作を監視している。
【００２８】
この状態で、サービス事業者のサービス端末ＳＶからデータ提供要求が受信されたとする。そうすると情報管理ユニット１は、ステップＳ１１で上記データ提供要求の受信を検出するとステップＳ１２に移行し、収集データ取得部１１の制御の下でデータ収集装置ＤＳから当該データ収集装置ＤＳに蓄積されている生データを取得する。
【００２９】
次に情報管理ユニット１は、提供データ抽出部１２の制御の下で、先ずステップＳ１３により提供データ種別記憶部１４から提供データ種別リストを読み出す。このとき、提供データ種別記憶部１４に複数のリストが記憶されている場合には、上記受信されたデータ提供要求に含まれる要求元のサービス事業者の識別情報、又は送信元となるサービス端末ＳＶの送信アドレスをもとに、要求元のサービス事業者に対応する提供データ種別リストを選択的に読み出す。
【００３０】
次に提供データ抽出部１２は、ステップＳ１４において、上記提供データ種別記憶部１４から読み出された提供データ種別リストに基づいて、上記収集データ取得部１１により取得された生データの中から提供対象となるデータの種類に該当するデータを抽出する。例えば、機器Ｄ１，Ｄ２から収集したログデータに含まれる番組視聴履歴やエアコン運転履歴に係るデータを抽出する。また、バイタルデータのうち血圧及び脈拍のデータを抽出する。
【００３１】
続いて提供データ抽出部１２は、上記取得された生データのうち、上記抽出されたデータ以外のデータを不可視化処理する。不可視化処理としては、先に述べたように空白化処理、マスク化処理又は伏字化処理が用いられる。この不可視化処理の結果、例えばログデータに含まれるユーザの名前や年齢等の個人情報や、バイタルデータに含まれる体重の計測データは不可視化される。
【００３２】
最後に提供データ抽出部１２は、ステップＳ１５において、上記抽出処理により提供対象データ以外のデータに対し不可視化処理が施されたデータを、提供データとして要求元のサービス端末ＳＶへ返信する。
【００３３】
サービス端末ＳＶは、例えば上記ユーザ端末ＴＭから収集したログデータ及びバイタルデータに基づいてユーザの生活状況を推測する。そして、その推測結果をもとにユーザに対する生活改善案を作成してユーザ端末ＴＭへ送信したり、上記推測結果を表す情報を罹かり付けの医師が使用する端末へ送信する。
【００３４】
（２）ユーザが提供データ種別リストの変更操作を行った場合
待機状態においてユーザ端末ＴＭの表示部にはユーザ操作画面が表示されている。この状態で、ユーザが上記操作画面を見ながらキーボード又はタッチパネルにおいて提供データ種別リストの変更指示を入力したとする。
【００３５】
この場合ユーザ操作受付部１３は、この入力操作をステップＳ１６で検出すると、ステップＳ１７に移行して上記入力された変更指示情報を受け取り、ステップＳ１８において上記変更指示情報に従い該当する提供データ種別リストを変更する。例えば、自身の個人情報を提供対象データの種類に加える。そして、この変更後に、ステップＳ１９により、上記変更後の提供データ種別リストに関連付けられた変更フラグをオンにセットする。またそれと共に、図示しないタイマを起動して、上記提供データ種別リストの変更有効期間の計時を開始する。
【００３６】
次に情報管理ユニット１は、ステップＳ１２に移行し、収集データ取得部１１の制御の下でデータ収集装置ＤＳから当該データ収集装置ＤＳに蓄積されている生データを取得する。続いて、提供データ抽出部１２の制御の下で、先ずステップＳ１３により提供データ種別記憶部１４から上記変更された提供データ種別リストを読み出す。そして、ステップＳ１４において、上記提供データ種別記憶部１４から読み出された変更後の提供データ種別リストに基づいて、上記収集データ取得部１１により取得された生データの中から提供対象となるデータの種類に該当するデータを抽出する。例えば、機器Ｄ１，Ｄ２から収集したログデータに含まれる番組視聴履歴やエアコン運転履歴に係るデータを抽出すると共に、バイタルデータのうち血圧及び脈拍のデータを抽出する。また、ログデータ又はバイタルデータに付随するユーザの個人情報も抽出する。
【００３７】
続いて提供データ抽出部１２は、上記取得された生データのうち、上記抽出されたデータ以外のデータを空白化処理、マスク化処理又は伏字化処理により不可視化する。そして、ステップＳ１５において、上記抽出処理により提供対象データ以外のデータに対し不可視化処理が施されたデータを、提供データとして要求元のサービス端末ＳＶへ返信する。
【００３８】
したがって、この場合ユーザの名前や年齢等の個人情報は提供対象データとして抽出され不可視化されていないため、サービス事業者のサービス端末ＳＶは、ユーザの個人情報を加味したユーザの生活状況の推測処理を行うことが可能となる。
【００３９】
（３）提供データ種別リストの復元
待機状態において情報管理ユニット１は、ユーザ操作受付部１３の制御の下で、ステップＳ２０により変更フラグがオンになっているリストの有無を判定する。そして、変更フラグがオンになっているリストが存在する場合には、当該変更フラグに対応付けられているタイマの計時時間を監視し、当該タイマの計時時間が予め設定した提供データ種別リストの変更有効期間を経過した時点で、提供データ種別記憶部１４に記憶されている該当する提供データ種別リストを変更前の状態に戻す。そして、このリストの復元処理後に変更フラグをオフに戻す。
【００４０】
かくして、提供データ種別リストは、ユーザの変更操作に応じ予め設定された変更有効期間に限り変更され、この期間内に限りユーザが許可したデータが可視化されずにサービス事業者へ提供される。
【００４１】
（効果）
以上詳述したようにこの実施形態では、サービス事業者とユーザとの間で契約により予め定めた提供対象となるデータの種別を表すリストを提供データ種別記憶部１４に記憶しておく。そして、機器Ｄ１，Ｄ２及びセンサＳＣから取得した生データをサービス事業者のサービス端末ＳＶへ送信する際に、上記提供データ種別リストに基づいて上記生データの中から提供対象となる種別に該当するデータを抽出し、当該抽出されたデータ以外のデータが不可視化処理する。そして、この不可視化処理後の上記生データをサービス端末ＳＶへ送信するようにしている。
【００４２】
したがって、提供対象のデータ種別以外のデータに対しては不可視化処理が施された状態でサービス事業者に送られることになり、このためユーザが提供を希望していないデータがユーザの知らないうちにサービス事業者に提供されてしまう不具合を防止することができる。
【００４３】
また本実施形態では、ユーザの操作に応じて提供データ種別リストを一時的に変更し、当該変更期間にのみ、ユーザが許可した種類のデータを可視化せずにサービス事業者のサービス端末ＳＶへ送信するようにしている。このため、ユーザはサービス事業者に提供するデータの種別を時限的に変更することが可能となり、これにより柔軟性のあるデータ提供を行うことができる。
【００４４】
さらに本実施形態では、提供対象以外のデータに対して可視化処理を行って送信するようにしているため、生データのアウトラインを残した上でデータを提供することが可能となる。
【００４５】
［他の実施形態］
前記実施形態では、提供対象外のデータに対し可視化処理を施して送信するようにしたが、提供対象外のデータを削除して送信するようにしてもよい。また、前記実施形態では提供データ種別リストの変更有効期間を予め設定した固定値としたが、ユーザが任意に入力操作により設定するようにしてもよい。
【００４６】
前記実施形態では、提供データとして家電機器の動作履歴等を表すログデータとセンサＳＣにより計測されたバイタルデータを送信し、サービス事業者がこれらの提供データをもとにユーザの生活状況を監視するサービスを例にとって説明した。しかし、それに限らず、オフィス機器の遠隔管理サービスや、店舗や建物のエネルギ管理及び監視を行う遠隔監視サービス、スマートグリッドによるエネルギ管理サービス、高齢者の介護支援サービス、ユーザの健康管理支援サービスにも、この発明を適用することができる。
【００４７】
また、前記実施形態では情報管理ユニットをユーザ端末ＴＭに設けた場合を例にとって説明したが、中継器やデータ収集装置に設けてもよい。また、センサ、データ収集装置、中継器、情報管理ユニットの機能を全てユーザ端末に設けるようにしてもよい。これは、スマートフォンやタブレット端末、さらにはウエアラブル端末を使用することで実現可能である。その他、情報管理ユニットの構成や動作手順及び動作内容、提供データの種類等についても、この発明の要旨を逸脱しない範囲で種々変形して実施可能である。
【００４８】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００４９】
ＳＶ…サービス事業者のサービス端末、ＵＡ…ユーザ側システム、ＮＷ…通信ネットワーク、ＲＰ…中継器、ＤＳ…データ収集装置、Ｄ１，Ｄ２…機器、ＳＣ…センサ、ＴＭ…ユーザ端末、１…情報管理ユニット、１１…収集データ取得部、１２…提供データ抽出部、１３…ユーザ操作受付部、１４…提供データ種別記憶部。
【図１】
2016004324.tif 000003
【図２】
2016004324.tif 000004
【図３】
2016004324.tif 000005